(57)【要約】【課題】携帯式ブルートゥース音声拡張装置を提供する。【解決手段】ブルートゥースモジュールはブルートゥース通信装置と無線通信を行い、音源信号を送出する。音源切換えモジュールはブルートゥースモジュールに連接し、音源信号を受信する。スピーカーは音源切換えモジュールに連接する。コード収納ユニットはコード槽、コードリール、通信コード、渦巻き型バネを設置し、コードリールと渦巻き型バネはコード槽に可動設置される。通信コードはコードリールにおいて巻設され、通信コードは渦巻き型バネの作用を受け、引き伸ばされ或いは巻き取られる。また通信コードの一端は音源切換えモジュールに連接し、反対端はイヤホーンに連接する。判断ユニットは音源切換えモジュールとコード収納ユニットに連接し、判断ユニットは通信コードの引き伸ばし或いは巻設に基づき、判断信号を発信し音源切換えモジュールに提供し、音源信号の切換えを制御する。【選択図】図６Ｂ
0003134065.tif 000002
【実用新案登録請求の範囲】
【請求項１】
少なくともブルートゥース通信装置と無線通信を行うことができる携帯式ブルートゥース音声拡張装置であって、
ブルートゥースモジュールと、音源切換えモジュールと、スピーカーと、コード収納ユニットと、イヤホーンと、判断ユニットとを備え、
前記ブルートゥースモジュールは無線伝送技術によって前記ブルートゥース通信装置より無線信号を取得して音源信号を送出し、
前記音源切換えモジュールは前記ブルートゥースモジュールに連接して、前記音源信号を受信し、
前記スピーカーは前記音源切換えモジュールに連接し、
前記コード収納ユニットは引き伸ばされ或いは巻き取られる通信コードと、コード槽と、コードリール及び渦巻き型バネを有し、前記コードリールと前記渦巻き型バネは前記コード槽に可動設置され、前記通信コードは前記コードリールにおいて巻設され、
前記イヤホーンは前記通信コードの反対端に連接し、
前記判断ユニットはフックスイッチを有し、該フックスイッチの一端は高電位信号源に連接し、反対端は低電位信号源と前記音源切換えモジュールに連接し、前記フックスイッチは前記通信コードの引き伸ばし或いは巻設に基づきスイッチ切換えを行い、これにより高電位或いは低電位の判断信号を前記音源切換えモジュールに提供することを特徴とする携帯式ブルートゥース音声拡張装置。
【請求項２】
さらにファンクションボタンユニットを備え、該ファンクションボタンユニットは前記ブルートゥースモジュールに連接し、制御指令を該ブルートゥースモジュールに提供することを特徴とする請求項１記載の携帯式ブルートゥース音声拡張装置。
【請求項３】
前記制御指令は前記スピーカーと前記イヤホーンの音量制御に用いることを特徴とする請求項２記載の携帯式ブルートゥース音声拡張装置。
【請求項４】
さらにマイクを備え、該マイクは前記ブルートゥースモジュールに連接することを特徴とする請求項１記載の携帯式ブルートゥース音声拡張装置。
【請求項５】
さらにクリップを備えることを特徴とする請求項１記載の携帯式ブルートゥース音声拡張装置。
【請求項６】
少なくともブルートゥース通信装置と無線通信を行うことができる携帯式ブルートゥース音声拡張装置であって、
音声拡張本体を備え、
該音声拡張本体はブルートゥースモジュールと、音源切換えモジュールと、スピーカーと、ピボット台と、イヤホーン本体とを有し、
前記ブルートゥースモジュールは無線伝送技術によって前記ブルートゥース通信装置より無線信号を取得して音源信号を送出し、
前記音源切換えモジュールは前記ブルートゥースモジュールに連接して前記音源信号を受信し、
前記スピーカーは前記音源切換えモジュールに連接し、
前記ピボット台は前記音声拡張本体の一端に連接し、該ピボット台はフレキシブル印刷回路板を有し、
前記イヤホーン本体は前記ピボット台に連接し、前記音声拡張本体に相対し回転密着し、該イヤホーン本体はコード収納ユニット、判断ユニットを含み、
前記コード収納ユニットは引き伸ばされ或いは巻き取られる通信コードと、コード槽と、コードリール及び渦巻き型バネを有し、前記コードリールと前記渦巻き型バネは該コード槽に可動設置され、前記通信コードは前記コードリールにおいて巻設され、
前記判断ユニットはフックスイッチを有し、該フックスイッチの一端は高電位信号源に連接し、反対端は低電位信号源と前記音源切換えモジュールに連接し、該フックスイッチは前記通信コードの引き伸ばし或いは巻設に基づきスイッチ切換えを行い、これにより高電位或いは低電位の判断信号を前記音源切換えモジュールに提供することを特徴とする携帯式ブルートゥース音声拡張装置。
【請求項７】
さらにファンクションボタンユニットを備え、該ファンクションボタンユニットは前記ブルートゥースモジュールに連接し、制御指令を該ブルートゥースモジュールに提供することを特徴とする請求項６記載の携帯式ブルートゥース音声拡張装置。
【請求項８】
前記制御指令は前記スピーカーと前記イヤホーン本体の音量の制御に用いることを特徴とする請求項７記載の携帯式ブルートゥース音声拡張装置。
【請求項９】
さらにマイクを備え、該マイクは前記ブルートゥースモジュールに連接することを特徴とする請求項６記載の携帯式ブルートゥース音声拡張装置。
【考案の詳細な説明】
【技術分野】
【０００１】
本考案は一種の携帯式ブルートゥース音声拡張装置に関する。特に一種のブルートゥース携帯電話端末と無線通信を行うことができ、しかも音声拡張方式ハンズフリー通話と有線イヤホーン方式ハンズフリー通話の機能を備える携帯式ブルートゥース音声拡張装置に係る。
【背景技術】
【０００２】
ブルートゥースは低コスト、低消費電力の短距離無線通信技術で、あらゆる個人モバイル通信設備に広く応用されている。ブルートゥース技術は無線伝送の機能を利用し、ブルートゥースイヤホーン、携帯電話端末、腕時計、或いはいは直接、手指上に装置する通信器の設計に用いることができる。これら製品はブルートゥースチップを内蔵するだけで、無線伝送が可能で、さらにはインターネット接続とｅ−ｍａｉｌ送受信機能を提供することができる。
【０００３】
市販されているブルートゥースイヤホーンはたくさんの種類があるが、多くはブルートゥース携帯電話端末と対応し使用される。使用者はブルートゥースイヤホーンを装着し、標準周波数でブルートゥース携帯電話端末と双方向コミュニケーションを行うことができる。いつでもどこでも、使用者はブルートゥース技術の無線伝送機能を用い、電話をハンズフリーで受けることができる。
【０００４】
公知のブルートゥースイヤホーンとブルートゥース携帯電話端末の通信構造図である図１に示すように、公知のブルートゥース通信構造において、ブルートゥース通信技術によりブルートゥース携帯電話端末６０の着信音声情報５０はブルートゥースイヤホーン４０に無線伝送される。該ブルートゥースイヤホーン４０は伝送しようとする音声情報５２をブルートゥース通信技術により該ブルートゥース携帯電話端末６０に無線伝送し、双方向音声伝送を行う。こうして、使用者は各種場所で電話を受信する時、ハンズフリー携帯電話端末の効果を達成することができる。
【０００５】
図１に対応し、公知のブルートゥースイヤホーン内部回路のブロックチャートであるである図２に示すように、着信時には、該ブルートゥースイヤホーン４０中の無線通信ユニット４０１は遠方のブルートゥース携帯電話端末６０から伝送されて来る着信音声情報５０を受信し、該着信音声情報５０はコントローラー４０２に伝送され処理される。該コントローラー４０２の処理を経て、該音声情報５０は該イヤホーン４０４により送出され、使用者ははっきりと聞き取ることができる。
【０００６】
同時に、使用者は該マイク４０３を通して応答の音声情報５２を該コントローラー４０２に伝え、該応答の音声情報５２は該コントローラー４０２により処理された後、該無線通信ユニット４０１に伝送され、該無線通信ユニット４０１により該応答の音声情報５２は遠方のブルートゥース携帯電話端末６０に送られ、双方向の音声伝送を完成する。こうして使用者は各種場所において電話を受ける時、ハンズフリー携帯電話端末の効果を達成することができる。
【０００７】
しかし、長時間ブルートゥースイヤホーン４０を装着していると、耳の疼痛を引き起こし、不快感を催す。
さらに、着信があった時、該ブルートゥースイヤホーン４０は１人の使用者にのみ通話を受けさせることができ、第三者或いは多数の人が通話に参加することはできない。これでは日常生活或いは仕事における通話の品質及び通話ニーズが大きく減じられてしまう。
【０００８】
よって、該ブルートゥース携帯電話端末６０と無線通信が可能な携帯式ブルートゥース音声拡張装置を設計し、該ブルートゥースイヤホーン４０ユーザーの長期にわたる切実なニーズに応える。同時に、通話の機密保持性を備えるイヤホーンを携帯式ブルートゥース音声拡張装置中に統合し、通話の品質をさらに向上させ、通話のプライバシーを確保し、使用者は通話内容に応じて適した通話方式を選択することができる。
尚、従来のブルートゥースイヤホーンとブルートゥース携帯電話端末については、特許文献１に記載されている。
【特許文献１】特開２００７−１０４１２２号公報
【考案の開示】
【考案が解決しようとする課題】
【０００９】
本考案は、ブルートゥース通信装置と無線通信を行うことができ、音声拡張ハンズフリーとイヤホーンハンズフリーの二種の通話方式を備える携帯式ブルートゥース音声拡張装置を提供することを目的とする。
【課題を解決するための手段】
【００１０】
上記課題を解決するため、本考案は下記の携帯式ブルートゥース音声拡張装置を提供する。
本考案の携帯式ブルートゥース音声拡張装置は少なくとも、ブルートゥースモジュール、マイク、音源切換えモジュール、スピーカー、コード収納ユニット、イヤホーン、判断ユニットを備え、該ブルートゥースモジュールは無線伝送技術により該ブルートゥース通信装置より無線信号を取得し、及び音源信号を送出し、該マイクは該ブルートゥースモジュールに連接し、該音源切換えモジュールは該ブルートゥースモジュールに連接し、該音源信号を受信し、該スピーカーは該音源切換えモジュールに連接し、該コード収納ユニットはコード槽、コードリール、通信コード、渦巻き型バネを設置し、該コードリールと該渦巻き型バネは該コード槽中に可動設置し、該通信コードは該コードリール上に巻設し、該通信コードは該渦巻き型バネの作用を受け、引き伸ばされ或いは巻き取られ、該通信コードの一端は該音源切換えモジュールに連接し、該イヤホーンは該通信コードの反対端に連接し、該判断ユニットは該音源切換えモジュールと該コード収納ユニットに連接し、該判断ユニットは該通信コードの引き伸し或いは巻設に基づき、判断信号を該音源切換えモジュールに送信し、こうして該音源信号の切換えを制御し、本考案はスピーカーを使用し、該ブルートゥース通信装置が送出する音源信号を拡大発声し、こうして多数の人がはっきりと聞き取ることができ、音声拡張ハンズフリー効果を達成し、さらに本考案はまたコード収納ユニットに引き伸ばされ連接するイヤホーンにより、イヤホーンを使用し通話を行い、通話のプライバシーを向上させ、イヤホーンハンズフリー効果を達成し、こうして、使用者は本考案を利用し、三人或いは多人数通話の機能と効果を達成し、日常生活或いは仕事における通話の品質を向上させ、及び通話ニーズに符合し、しかも通話のプライバシーを達成可能で、通話時には他人の影響を受けることがない携帯式ブルートゥース音声拡張装置を提供する。
【考案の効果】
【００１１】
上記のように、本考案の携帯式ブルートゥース音声拡張装置は音声拡張ハンズフリーとイヤホーンハンズフリーの二種の通話方式を提供し、使用者が長時間ブルートゥースイヤホーンを装着することによる耳の疼痛と不快感を改善することができる。
同時に、ブルートゥースイヤホーンが一人だけが受話、通話可能で、第三者或いは多数の人が通話に参加できなかった欠点を改善することができる。よって、本考案は人々の生活上或いは仕事上の通話品質及び通話ニーズに莫大な助けと利便を提供することができる。
同時に、多人数での通話においてプライバシーが露出し易い点を考慮し、通話のプライバシー保持機能を備えるイヤホーンを本考案の携帯式ブルートゥース音声拡張装置中に統合し、さらに通話の品質を向上させ、通話のプライバシーを上げ、こうして使用者は通話内容に応じて適した通話方式を選択することができる。
【考案を実施するための最良の形態】
【００１２】
本考案の特徴及び技術内容を説明するため、以下に本考案の詳細説明と図を用いる。図は参考と説明用に過ぎず、本考案を限定するものではない。
本考案の通信指示図である図３に示すように、本考案の携帯式ブルートゥース音声拡張装置１は身に着けた衣服或いは用品に挟み設置し固定可能なクリップ１８が設けられ、ブルートゥース通信装置２と無線通信を行うことができる。尚、該ブルートゥース通信装置２はブルートゥース携帯電話端末である。
該ブルートゥース通信装置２に着信があった時、無線信号Ｓ１を本考案のブルートゥース音声拡張装置１に送信する。本考案のブルートゥース音声拡張装置１は無線信号Ｓ１を処理後、スピーカー１０とマイク１３により音声拡張ハンズフリー通話方式を提供し、或いは引き伸ばされた該イヤホーン１２及び該マイク１３を対応させ、イヤホーンハンズフリー通話方式を提供する。
【００１３】
本考案の他の実施形態の通信指示図を図４に示す。図４において、本考案の携帯式ブルートゥース音声拡張装置１’の図３に示すブルートゥース音声拡張装置１との差異はその構造にある。
該携帯式ブルートゥース音声拡張装置１’は音声拡張本体Ａ、イヤホーン本体Ｂ、ピボット台Ｃにより構成される。該ピボット台Ｃは該音声拡張本体Ａの一端に装置する。該イヤホーン本体Ｂは該ピボット台Ｃ上に装置し、該ピボット台Ｃにより該イヤホーン本体Ｂは該音声拡張本体Ａに相対し回転して密着することができる。こうして折畳み可能な携帯式ブルートゥース音声拡張装置１’を形成する。該ピボット台Ｃはフレキシブル印刷回路板（図示なし）を含み、該フレキシブル印刷回路板は該音声拡張本体Ａと該イヤホーン本体Ｂ間の電気的連接を提供する。
【００１４】
この他、該折畳み可能な携帯式ブルートゥース音声拡張装置１’はその折畳み特性により、使用者は身に着けた衣服或いは用品に挟み設置可能で、しかも挟み設置の安定及びバランスを提供することができる。
該ブルートゥース通信装置２の着信時、無線信号Ｓ１を本考案のブルートゥース音声拡張装置１’に送信し、本考案のブルートゥース音声拡張装置１’は無線信号Ｓ１を処理後、該スピーカー１０と該マイク１３により音声拡張ハンズフリー通話方式を提供し、或いは引き伸ばされた該イヤホーン１２及び該マイク１３を対応させ、イヤホーンハンズフリー通話方式を提供することができる。
【００１５】
図３に対応し、本考案の操作環境の第一実施例指示図である図５に示すように、使用者３は本考案の携帯式ブルートゥース音声拡張装置１とブルートゥース通信装置２を身に付け、通信連結状況とすることができる。該ブルートゥース通信装置２の着信時、使用者３は本考案の携帯式ブルートゥース音声拡張装置１を通して直接音声拡張ハンズフリー通話方式により通話を行う。この他、使用者３が他人に通話内容を知られたくなければ、直接引き伸ばされ該携帯式ブルートゥース音声拡張装置１内部に設置されるイヤホーン１２を通して、イヤホーンハンズフリー通話方式を使用し通話を行うことができる。こうして通話のプライバシーを達成し、また通話時に他人の影響を受けることがない。
【００１６】
また、本考案操作環境の第二実施例指示図である図６Ａに示すように、運転者は本考案のブルートゥース音声拡張装置１を身に付け、該ブルートゥース通信装置２の着信時には、音声拡張ハンズフリー通話方式を通して通話を行い、三人或いはより多数の人との通話の機能と効果を達成することができる。
【００１７】
さらに本考案操作環境の第三実施例指示図である図６Ｂに示すように、運転者は本考案のブルートゥース音声拡張装置１を身に付け、該ブルートゥース通信装置２の着信時には、イヤホーンハンズフリー通話方式を通して通話を行い、通話のプライバシーを守ることができ、通話時には他人の影響を受けることがない。こうして、本考案は生活上或いは仕事上の通話品質及び通話ニーズを向上させることができる。
【００１８】
図３に対応し、本考案回路のブロック図である図７に示すように、本考案のブルートゥース音声拡張装置１はブルートゥースモジュール１１、マイク１３、音源切換えモジュール１４、スピーカー１０、コード収納ユニット１６、イヤホーン１２及び判断ユニット１５を含む。
該ブルートゥースモジュール１１は無線伝送技術により該ブルートゥース通信装置２より無線信号Ｓ１を取得し、しかも該無線信号Ｓ１を処理し音源信号Ｓ２を送出する。
【００１９】
該音源切換えモジュール１４は該ブルートゥースモジュール１１と判断ユニット１５に連接し、該音源信号Ｓ２を受信し、しかも該判断ユニット１５の制御を受け、音源信号Ｓ２伝送ルートの切換えを行う。この他、音源切換えモジュール１４はさらに該スピーカー１０と該コード収納ユニット１６に連接する。内、該スピーカー１０は音声拡張機能を提供する。
該コード収納ユニット１６は該イヤホーン１２に連接し、これにより該イヤホーン１２は該コード収納ユニット１６において引き伸ばされ、また巻き取られる。
【００２０】
該判断ユニット１５は該イヤホーン１２の該コード収納ユニット１６における引き伸ばし、或いは巻設に基づき、高電位或いは低電位の判断信号Ｓ３を該音源切換えモジュール１４に発信し、該音源信号Ｓ２伝送ルートの切換えを制御し、こうして該スピーカー１０或いは該イヤホーン１２に伝送される。
【００２１】
低電位の判断信号Ｓ３は該音源切換えモジュール１４を制御し、該音源信号Ｓ２を該スピーカー１０に伝送し、該スピーカー１０により音声拡張出力を達成し、しかも該ブルートゥースモジュール１１のマイク１３に対応し、通話の目的を達成することができる。
高電位の判断信号Ｓ３は該音源切換えモジュール１４を制御し、該音源信号Ｓ２を該イヤホーン１２に伝送し、しかも該ブルートゥースモジュール１１のマイク１３に対応し、プライベート通話の目的を達成することができる。
【００２２】
前記高電位或いは低電位を利用する判断信号Ｓ３により音声信号伝送ルートの切換えを制御する方式は、本考案の実施例に過ぎず、もし他の方式を使用し、本実施例と相同の機能と効果を達成可能である場合には、本実施例の考案精神に属するものとする。
【００２３】
図７に示すように、本考案の携帯式ブルートゥース音声拡張装置１はさらにファンクションボタンユニット１７を備える。
該ファンクションボタンユニット１７は該ブルートゥースモジュール１１に連接し、制御指令Ｓ４を該ブルートゥースモジュール１１に提供し、該スピーカー１０或いは該イヤホーン１２の出力音量を制御する。
【００２４】
図７にあわせて、本考案のコード収納ユニット機構指示図である図８に示すように、本考案のコード収納ユニット１６はコード槽１６０、コードリール１６２、通信コード１６４及び渦巻き型バネ１６６を含む。
該コードリール１６２と該渦巻き型バネ１６６は該コード槽１６０に可動設置され、しかも該通信コード１６４は回転可能な該コードリール１６２上に巻設される。該通信コード１６４は該渦巻き型バネ１６６と該コードリール１６２の転動作用を受け、引き伸ばされ或いは巻き取られる。しかも該通信コード１６４の一端は該音源切換えモジュール１４に連接し、反対端は該イヤホーン１２に連接する。
【００２５】
図７と図８に合わせて、本考案の判断ユニットと音源切換えモジュールの回路指示図である図９に示すように、該判断ユニット１５はフックスイッチＳＷ１を含む。
該フックスイッチＳＷ１の一端は高電位信号源ＶＢＡＴに連接し、反対端は電気抵抗Ｒ１を通して、低電位信号源Ｇと音源切換えモジュール１４に連接する。該フックスイッチＳＷ１は該通信コード１６４の引き伸ばし或いは巻設に基づき、スイッチＳＷ１の切換えを行い、こうして高電位或いは低電位の判断信号Ｓ３を該音源切換えモジュール１４に提供し、該音源信号Ｓ２の切換え送信を制御する。
【００２６】
該ブルートゥース通信装置２の着信時には、無線信号Ｓ１を本考案の携帯式ブルートゥース音声拡張装置１に送信し、本考案の携帯式ブルートゥース音声拡張装置１において無線信号Ｓ１を処理後、音源信号Ｓ２を生じ発信する。
【００２７】
使用者が音声拡張ハンズフリー方式での通話を選択する場合、該コード収納ユニット１６は巻き取られ状態にあり、該フックスイッチＳＷ１は開放状態（ＯＦＦ）となる。この時、低電位信号源Ｇは低電位の判断信号Ｓ３を提供し、電気抵抗Ｒ１を通して音源切換えモジュール１４に送信し、制御チップＵ１を作動させる。これにより音源信号Ｓ２はキャパシターＬ１を経由し、さらに制御チップＵ１を通してスピーカー１０に送られ音声拡張を行う。尚、該制御チップＵ１として型番号ＮＬＡＳＢ３１５７を用いることができる。
【００２８】
一方、使用者がイヤホーンハンズフリー方式での通話を選択する場合、該コード収納ユニット１６は引き伸ばされ状態にあり、該フックスイッチＳＷ１は閉鎖状態（ＯＮ）となる。この時、高電位信号源ＶＢＡＴは高電位の判断信号Ｓ３を提供し、音源切換えモジュール１４に送信し、制御チップＵ２を作動させる。これにより音源信号Ｓ２はキャパシターＬ２を経由し、さらに制御チップＵ２を通してイヤホーン１２に送られ、プライバシーを保持した通話を行うことができる。内、該制御チップＵ２として型番号ＮＬＡＳＢ３１５７を用いることができる。
【００２９】
上記のように、本考案の携帯式ブルートゥース音声拡張装置１は音声拡張ハンズフリーとイヤホーンハンズフリーの二種の通話方式を提供し、使用者が長時間ブルートゥースイヤホーンを装着することによる耳の疼痛と不快感を改善することができる。同時に、ブルートゥースイヤホーンが一人だけが受話、通話可能で、第三者或いは多数の人が通話に参加できなかった欠点を改善することができる。よって、本考案は人々の生活上或いは仕事上の通話品質及び通話ニーズに莫大な助けと利便を提供することができる。
【００３０】
同時に、多人数での通話においてプライバシーが露出し易い点を考慮し、通話のプライバシー保持機能を備えるイヤホーンを本考案の携帯式ブルートゥース音声拡張装置１中に統合し、さらに通話の品質を向上させ、通話のプライバシーを上げ、こうして使用者は通話内容に応じて適した通話方式を選択することができる。
【００３１】
本考案は実用新案の進歩性要件に完全に符合しているため、特許法に基づき申請を提出する。
上記は本考案の最適な具体的実施例に過ぎず、本考案の特徴をこれに限定するものではない。該項技術の習熟者は本考案の領域内において、簡単に行うことができる変化或いは修飾もまた本考案の請求範囲に含まれる。
【図面の簡単な説明】
【００３２】
【図１】公知のブルートゥースイヤホーンとブルートゥース携帯電話端末の通信構造図である。
【図２】公知のブルートゥースイヤホーン内部回路のブロック図である。
【図３】本考案の通信指示図である。
【図４】本考案の別種の通信指示図である。
【図５】本考案操作環境の第一実施例指示図である。
【図６Ａ】本考案操作環境の第二実施例指示図である。
【図６Ｂ】本考案操作環境の第三実施例指示図である。
【図７】本考案回路のブロック図である。
【図８】本考案のコード収納ユニット機構指示図である。
【図９】本考案の判断ユニットと音源切換えモジュールの回路指示図である。
【符号の説明】
【００３３】
４０        ブルートゥースイヤホーン
４０１      無線通信ユニット
４０２      コントローラー
４０３      マイク
４０４      イヤホーン
５０、５２  音声情報
６０        ブルートゥース携帯電話端末
１、１’    携帯式ブルートゥース音声拡張装置
１０        スピーカー
１１        ブルートゥースモジュール
１２        イヤホーン
１３        マイク
１４        音源切換えモジュール
１５        判断ユニット
１６        コード収納ユニット
１６０      コード槽
１６２      コードリール
１６４      通信コード
１６６      渦巻き型バネ
１７        ファンクションボタンユニット
１８        クリップ
２          ブルートゥース通信装置
ＳＷ１      フックスイッチ
ＶＢＡＴ    高電位信号源
Ｒ１        電気抵抗
Ｇ          低電位信号源
Ｓ１        無線信号
Ｓ２        音源信号
Ｓ３        判断信号
Ｓ４        制御指令
３          使用者
Ａ          音声拡張本体
Ｂ          イヤホーン本体
Ｃ          ピボット台
Ｕ１、Ｕ２  制御チップ
【図１】
0003134065.tif 000003
【図２】
0003134065.tif 000004
【図３】
0003134065.tif 000005
【図４】
0003134065.tif 000006
【図５】
0003134065.tif 000007
【図６Ａ】
0003134065.tif 000008
【図６Ｂ】
0003134065.tif 000009
【図７】
0003134065.tif 000010
【図８】
0003134065.tif 000011
【図９】
0003134065.tif 000012